(57)【要約】
【課題】　小型で、簡易な構造であって取り扱い易く、店側も、それを受け取る客側もともに保管に場所をとらない写真収納用袋を提供する。
【解決手段】　本考案の写真収納用袋は、一端側が開放された方形の収納袋本体１と、これに連設され、一端側において折り曲げることで本体の開放部を閉止可能な蓋体２とを備え、本体の縦方向及び横方向の寸法がそれぞれ１２０〜２００ｍｍであることを特徴とする。収納袋本体の縦方向の寸法は１２０〜１５０ｍｍ、横方向の寸法は１５０〜１８０ｍｍであり、蓋体の縦方向の寸法は４０〜９０ｍｍであることが好ましい。また、収納袋本体に伝票８が貼付されており、蓋体の、伝票に記載された顧客情報(顧客名８１等)に対応する位置に、開口部２１が設けられていることが好ましい。更に、収納袋本体の、蓋体の開口部に対応する位置に、宣伝情報１４（宣伝のための文章等）が記載されていることが好ましい。
【選択図】　図４
0003100564.tif 000002
【実用新案登録請求の範囲】
【請求項１】
一端側が開放された方形の収納袋本体と、該収納袋本体に連設され、該一端側において折り曲げることで該収納袋本体の開放部を閉止可能な蓋体とを備え、該収納袋本体の縦方向及び横方向の寸法がそれぞれ１２０〜２００ｍｍであることを特徴とする写真収納用袋。
【請求項２】
上記縦方向の寸法が１２０〜１５０ｍｍであり、上記横方向の寸法が１５０〜１８０ｍｍである請求項１に記載の写真収納用袋。
【請求項３】
上記蓋体の縦方向の寸法が４０〜９０ｍｍである請求項１又は２に記載の写真収納用袋。
【請求項４】
上記収納袋本体に伝票が貼付されており、上記蓋体の、該伝票に記載された顧客情報に対応する位置に開口部が設けられている請求項１乃至３のうちのいずれか１項に記載の写真収納用袋。
【請求項５】
上記顧客情報が顧客名及び顧客の電話番号のうちの少なくとも顧客名である請求項４に記載の写真収納用袋。
【請求項６】
上記収納袋本体の、上記蓋体の上記開口部に対応する位置に宣伝情報が記載されている請求項５に記載の写真収納用袋。
【請求項７】
上記宣伝情報が宣伝のための文章及び図柄のうちの少なくとも一方である請求項６に記載の写真収納用袋。
【請求項８】
上記収納袋本体と上記蓋体との間に更に背表紙部が設けられ、該背表紙部に管理情報が表記されている請求項１乃至７のうちのいずれか１項に記載の写真収納用袋。
【請求項９】
上記管理情報が、プリント依頼月日、仕上予定月日、顧客名、顧客の電話番号及び収納された写真のタイトルのうちの少なくとも１種である請求項８に記載の写真収納用袋。
【請求項１０】
上記管理情報が、上記背表紙部における着色により表記されており、該管理情報が、顧客類別、プリント依頼月及び仕上予定月のうちの少なくとも１種である請求項８又は９に記載の写真収納用袋。
【請求項１１】
上記収納袋本体と上記蓋体との連接部に、着色により管理情報が表記されている請求項１乃至７のうちのいずれか１項に記載の写真収納用袋。
【請求項１２】
上記管理情報が、顧客類別、プリント依頼月及び仕上予定月のうちの少なくとも１種である請求項１１に記載の写真収納用袋。
【請求項１３】
上記収納袋本体の内部が厚さ方向に複数の収納部に区画されており、一の収納部がコンパクトディスク収納部である請求項１乃至１２のうちのいずれか１項に記載の写真収納用袋。
【請求項１４】
上記区画が不織布によりなされている請求項１３に記載の写真収納用袋。
【請求項１５】
上記収納袋本体の一の面に、上記一端部の方向が開放されたコンパクトディスク収納袋部が付設されている請求項１乃至１２のうちのいずれか１項に記載の写真収納用袋。
【請求項１６】
上記コンパクトディスク収納袋部が上記収納袋本体の上記蓋体が閉じられる側に付設されている請求項１５に記載の写真収納用袋。
【請求項１７】
上記コンパクトディスク収納袋部が不織布により形成されている請求項１５又は１６に記載の写真収納用袋。
【考案の詳細な説明】
【技術分野】
【０００１】
　本考案は、写真収納用袋に関する。更に詳しくは、サービスサイズ等の写真及び写真データを記録したコンパクトディスク（以下、「ＣＤ」と略記する。）の収納に適した寸法の小型且つ簡易な構造の写真収納用袋に関する。
【背景技術】
【０００２】
　ネガフィルムの現像及びプリンティングの業務では、客が持参したネガフィルムを現像し、プリンティングした後、ネガフィルム及び写真を収納用袋に収納し、来店した客に手渡している。この際、所定の長さのネガフィルムを収納するネガホルダー、又はネガフィルムと個々の写真との各々を収納する区画を備えるネガフィルム及び写真用ホルダーと、サービスサイズ等の写真とを、より寸法の大きい紙製又はプラスチックフィルム製の外袋に収納して手渡すのが一般的である。
【考案の開示】
【考案が解決しようとする課題】
【０００３】
　しかし、近年、デジタルカメラの急速な普及にともない、写真データを記録したチップを持参する客が増加し、この場合、ネガホルダー又はネガフィルム及び写真用ホルダー並びにそれらを収納するための従来のような大型の外袋は必要としない。また、写真データをＣＤに記録して持参する客もおり、更に、店側も高価なチップの損傷、紛失等によるトラブルを避けるため、写真データを予めチップからＣＤに複写し、このＣＤを用いてプリンティングすることも多い。この店側で写真データを複写したＣＤは、客が希望すれば無料又は相当の対価で手渡されるが、サービスサイズ等の写真とＣＤとを収納するにしても従来のような大型の写真収納用袋は必要としない。
【０００４】
　本考案は、上記のような状況に鑑みてなされたものであり、小型で、簡易な構造であって取り扱い易く、店側も、それを受け取る客側もともに保管に場所をとらない写真収納用袋を提供することを目的とする。
【課題を解決するための手段】
【０００５】
　本考案は、以下のとおりである。
　１．一端側が開放された方形の収納袋本体と、該収納袋本体に連設され、該一端側において折り曲げることで該収納袋本体の開放部を閉止可能な蓋体とを備え、該収納袋本体の縦方向及び横方向の寸法がそれぞれ１２０〜２００ｍｍであることを特徴とする写真収納用袋。
　２．上記縦方向の寸法が１２０〜１５０ｍｍであり、上記横方向の寸法が１５０〜１８０ｍｍである上記１．に記載の写真収納用袋。
　３．上記蓋体の縦方向の寸法が４０〜９０ｍｍである上記１．又は２．に記載の写真収納用袋。
　４．上記収納袋本体に伝票が貼付されており、上記蓋体の、該伝票に記載された顧客情報に対応する位置に開口部が設けられている上記１．乃至３．のうちのいずれか１項に記載の写真収納用袋。
　５．上記顧客情報が顧客名及び顧客の電話番号のうちの少なくとも顧客名である上記４．に記載の写真収納用袋。
　６．上記収納袋本体の、上記蓋体の上記開口部に対応する位置に宣伝情報が記載されている上記５．に記載の写真収納用袋。
　７．上記宣伝情報が宣伝のための文章及び図柄のうちの少なくとも一方である上記６．に記載の写真収納用袋。
　８．上記収納袋本体と上記蓋体との間に更に背表紙部が設けられ、該背表紙部に管理情報が表記されている上記１．乃至７．のうちのいずれか１項に記載の写真収納用袋。
　９．上記管理情報が、プリント依頼月日、仕上予定月日、顧客名、顧客の電話番号及び収納された写真のタイトルのうちの少なくとも１種である上記８．に記載の写真収納用袋。
　１０．上記管理情報が、上記背表紙部における着色により表記されており、該管理情報が、顧客類別、プリント依頼月及び仕上予定月のうちの少なくとも１種である上記８．又は９．に記載の写真収納用袋。
　１１．上記収納袋本体と上記蓋体との連接部に、着色により管理情報が表記されている上記１．乃至７．のうちのいずれか１項に記載の写真収納用袋。
　１２．上記管理情報が、顧客類別、プリント依頼月及び納品予定月のうちの少なくとも１種である上記１１．に記載の写真収納用袋。
　１３．上記収納袋本体の内部が厚さ方向に複数の収納部に区画されており、一の収納部がコンパクトディスク収納部である上記１．乃至１２．のうちのいずれか１項に記載の写真収納用袋。
　１４．上記区画が不織布によりなされている上記１３．に記載の写真収納用袋。
　１５．上記収納袋本体の一の面に、上記一端部の方向が開放されたＣＤ収納部が付設されている上記１．乃至１２．のうちのいずれか１項に記載の写真収納用袋。
　１６．上記ＣＤ収納部が上記収納袋本体の上記蓋体が閉じられる側に付設されている上記１５．に記載の写真収納用袋。
　１７．上記ＣＤ収納部が不織布により形成されている上記１５．又は１６．に記載の写真収納用袋。
【考案の効果】
【０００６】
　本考案の写真収納用袋は、サービスサイズ等の写真及び客に写真データが記録されたＣＤが手渡される場合は、このＣＤも含め、これらを収納するのに適した寸法であり、小型且つ簡易な構造で取り扱い及び保管が容易である。
　また、縦方向の寸法が１２０〜１５０ｍｍであり、横方向の寸法が１５０〜１８０ｍｍである場合、及び蓋体の縦方向の寸法が４０〜９０ｍｍである場合は、より小型で、且つ取り扱い易く、保管が容易な写真収納用袋とすることができる。
　更に、収納袋本体に伝票が貼付されており、蓋体の、伝票に記載された顧客情報、特に顧客名に対応する位置に開口部が設けられている場合は、蓋体を開かなくても顧客名等を確認することができる。
　また、収納袋本体の、蓋体の開口部に対応する位置に文章等による宣伝情報が記載されている場合は、この宣伝情報を客が容易に視認することができ、宣伝効果が高い。
　更に、収納袋本体と蓋体との間に更に背表紙部が設けられ、この背表紙部に、プリント依頼月日、仕上予定月日、顧客名等の管理情報が表記されている場合は、多数の写真収納用袋を背表紙部を上にして容器に並べて収納したときに、管理情報を容易に確認することができる。
　また、この管理情報が、顧客類別、プリント依頼月等であり、背表紙部における着色により表記されている場合は、多数の写真収納用袋を、容器に容易に類別して収納することができる。
　更に、収納袋本体と蓋体との連接部に、着色により顧客類別、プリント依頼月等の管理情報が表記されている場合も、多数の写真収納用袋を、容器に容易に類別して収納することができる。
　また、収納袋本体の内部が厚さ方向に複数の収納部に区画されており、一の収納部がＣＤ収納部である場合は、写真とＣＤとを分別して収納することができ、これらに傷が付くこと等が防止される。
　更に、区画が不織布によりなされている場合は、ＣＤのデータ記録面を不織布の側に向けて収納することにより、ＣＤを十分に保護することができる。
　また、収納袋本体の一の面、例えば、収納袋本体の蓋体が閉じられる側に、収納袋本体の一端部の方向が開放されたＣＤ収納袋部が付設されている場合も、写真とＣＤとを分別して収納することができ、これらに傷が付くこと等が防止される。
　更に、このＣＤ収納部が不織布により形成されている場合は、ＣＤのデータ記録面を不織布の側に向けて収納することにより、ＣＤを十分に保護することができる。
【考案を実施するための最良の形態】
【０００７】
　上記「収納袋本体」は、その平面形状が長方形、正方形、台形等の方形であり、通常、長方形又は正方形である。この収納袋本体の一端側は開放されており、この開放部において写真等の出し入れが行われる。また、この開放された一端側を除く他の端部は、各々の端部の端縁に沿って閉止されている。収納袋本体は紙、樹脂がラミネートされた紙等により形成することができ、紙製である場合は開放された一端側を除く他の端部の端縁は糊付け、縫製又は糊付けしたうえに更に縫製すること等により閉止することができる。更に、樹脂がラミネートされた紙であれば、樹脂がラミネートされた側を内面にして収納袋本体を形成し、開放された一端側を除く他の端部の端縁を熱融着することで閉止することができる。
【０００８】
　収納袋本体の寸法は、縦方向（例えば、図１におけるＬ１である。他の図においても同様である。）及び横方向（例えば、図１におけるＬ２である。他の図においても同様である。）の各々が１２０〜２００ｍｍであり、１２０〜１８５ｍｍ、特に１２０〜１７０ｍｍであることが好ましい。収納袋本体の縦方向及び横方向の各々の寸法が１２０〜２００ｍｍの範囲であれば、サービスサイズの写真等を出し入れし易く、且つ過大な寸法ではなく、取り扱い、保管等も容易である。更に、収納袋本体の縦方向が１２０〜１５０ｍｍ、特に１２０〜１４０ｍｍ、更に１２０〜１３０ｍｍであり、横方向が１５０〜１８０ｍｍ、特に１５０〜１７５ｍｍ、更に１５５〜１７５ｍｍであることがより好ましい。このように、正方形又は横方向に長い長方形の収納袋本体であれば、写真等の出し入れがより容易であり、取り扱い易く、保管もし易いため、好ましい。
【０００９】
　尚、収納袋本体の縦方向とは、開放された一端側と、それに対向する端部との方向であり、写真等が出し入れされる方向である。また、横方向は縦方向と直行する方向である。更に、収納袋本体は、蓋体が折り曲げられる側である前面側と、この前面側とは反対側の面である背面側とにより形成されるが、前面側と背面側の各々の縦方向の寸法は同じでもよく、背面側の寸法が前面側のそれより大きくてもよい。即ち、開放された一端側において背面側と前面側の各々の端部の位置が揃っていてもよく、背面側が前面側の端部を越えて長く形成されていてもよい。このように背面側が前面側の端部を越えて長く形成されている場合、上記の収納袋本体の縦方向の寸法は背面側の縦方向の寸法を意味する。
【００１０】
　上記「蓋体」は、開放された一端側における収納袋本体の背面側に連接して設けられており、この一端側において前面側へ折り曲げることで収納袋本体の開放部を閉止することができる。この蓋体は、通常、収納袋本体の一端側において収納袋本体の背面側がそのまま延長される形態で形成されており、この場合、蓋体は収納袋本体と同じ材質となる。また、蓋体は収納袋本体と同材質又は異なる材質からなる蓋部材を、収納袋本体の一端側に取り付けることにより形成することもできる。この蓋部材を収納袋本体に取り付ける方法は特に限定されず、接着剤による接合、縫製等の方法が挙げられる。この蓋部材は収納袋本体と同じ材質でもよく、種類の異なる紙、又はプラスチックシート等により形成されていてもよい。この蓋体の平面形状も特に限定されず、収納袋本体と蓋体との連接部、又は後記のように背表紙部が設けられた場合は、この背表紙部と蓋体との連接部を一辺とする長方形、正方形、台形等の方形、及び三角形、並びに収納袋本体又は背表紙部と蓋体との連接部を弦とし、この弦と、その両端を結ぶ円弧により形成される形状などのいずれであってもよい。
【００１１】
　蓋体の縦方向の寸法（例えば、図１におけるＬ３である。他の図においても同様である。）は、収納された写真等が意図せず出てしまうほどに短くない限り特に限定されないが、通常、縦方向に最も長い部分の寸法が収納袋本体の縦方向の寸法以下であり、具体的な寸法としては、４０〜９０ｍｍ、特に４５〜８５ｍｍ、更に５０〜８０ｍｍであることが好ましい。蓋体の縦方向の寸法が４０〜９０ｍｍであれば、意図せずに蓋が開いて写真等が出てしまうことがなく、且つ写真等を容易に出し入れすることができる。更に、紙等の資源の有効利用の面でも好ましい。
【００１２】
　収納袋本体には一般に伝票が貼付されており、蓋体の、伝票に記載された顧客情報に対応する位置に、開口部が設けられていることが好ましい。この顧客情報としては、顧客名及び顧客の電話番号のうちの少なくとも顧客名が挙げられる。伝票は、通常、２枚綴りとなっており、顧客名及び顧客の電話番号の他、受付番号、店名、フィルム、チップ等のメディアの種類、受付月日及び時、仕上予定月日及び時分、料金などを記載する欄が設けられている。これらの欄に客が来店した際に必要事項を記入したうえ、１葉が客に手渡され、他の１葉が店の控えとなる。そして、客が写真等の受け取りのため来店した際に、伝票の顧客情報に対応する位置に開口部が設けられておれば、蓋体を開かなくても顧客名等を確認することができ、客への商品の手渡し等の作業を効率よく行うことができる。
【００１３】
　また、収納袋本体の、蓋体の開口部に対応する位置に、宣伝情報が記載されていてもよい。写真収納用袋は、店の控えとなる伝票を剥がしたうえ客に手渡されるため、収納袋本体の、蓋体の開口部に対応する位置に、宣伝情報が記載されておれば、商品を受け取る際、及び受け取った後、この宣伝文句は何時でも客の視野に入ることになり、十分な宣伝効果を得ることができる。宣伝情報としては、例えば、ご利用頂き有難うございました、次回も是非当店にご依頼を、等の宣伝のための文章、及び店のシンボルマーク等の図柄が挙げられ、文章と図柄とを組み合わせて用いてもよい。
【００１４】
　更に、収納袋本体と蓋体との連接部に、着色により管理情報を表記することで商品管理を行うこともできる。この場合、詳細な情報を表記することはできないため、管理情報としては、顧客類別、プリント依頼月及び納品予定月のうちの少なくとも１種が挙げられる。この顧客類別としては、例えば、苗字の１音目のかな別、居住する町名別等が挙げられる。収納袋本体と蓋体との連接部における着色による表記は、予め連接部の所定位置に印刷等によって着色部位を設けることにより行ってもよいし、着色ペン等により人手で着色することで行ってもよい。また、この着色による管理情報の表記によれば、多数の写真収納用袋を連接部を上にして容器に収納して管理する場合に、顧客類別、プリント依頼月及び仕上予定月等により写真収納用袋を類別して保管、管理することができる。
【００１５】
　収納袋本体と蓋体との間には、更に背表紙部が設けられ、この背表紙部に、管理情報が表記されていてもよい。この背表紙部の長さは収納袋本体の横方向と同寸法とすることができ、幅は、収納される写真の枚数及びＣＤが収納されるか否か等により、１〜１０ｍｍ、特に３〜９ｍｍ、更に５〜８ｍｍの範囲で調整することが好ましい。この背表紙部に表記される管理情報としては、プリント依頼月日、仕上予定月日、顧客名、顧客の電話番号及び収納された写真のタイトルが挙げられる。背表紙部には、これらの管理情報のうちの少なくとも１種が記載されておればよいが、少なくとも仕上予定月日及び顧客名は記載されていることが好ましい。
【００１６】
　また、管理情報は、背表紙部における着色により表記されていてもよい。このように管理情報が背表紙部における着色により表記される場合も、詳細な情報を表記することはできない。そのため、この場合も、管理情報としては、前記と同様の顧客類別、プリント依頼月及び仕上予定月のうちの少なくとも１種が挙げられる。この着色による表記は、予め背表紙部の所定位置に印刷等によって着色部位を設けることによって行ってもよいし、管理情報を記載する際等に着色ペン等により人手で着色することで行ってもよい。この着色による管理情報の表記によれば、多数の写真収納用袋を背表紙部を上にして容器に収納して管理する場合に、顧客類別、プリント依頼月及び仕上予定月等により写真収納用袋を類別して保管、管理することもできる。
　尚、背表紙部への管理情報の記載と、着色による管理情報の表記とは併せて用いることもできる。
【００１７】
　収納袋本体の内部は厚さ方向に複数の収納部に区画され、それらのうちの一の収納部がＣＤ収納部として用いられるようにすることもできる。写真収納用袋にはサービスサイズ等の写真及びメディアを収納した所定の容器の他、写真情報が記録されたＣＤ等が収納されることもあるが、これらが一の収納部に混在した場合、それぞれに傷が付く、及び所定のものが取り出し難い等の問題がある。特に、ＣＤに傷が付き、記録されたデータが壊れたりした場合は問題となるため、区画された一の収納部をＣＤ収納部とし、ＣＤを保護することが好ましい。この収納袋本体の内部を区画する材料は特に限定されないが、表面が柔らかく、ＣＤの特にデータ記録面を十分に保護することができる材料を用いることが好ましい。この区画は不織布により形成することが好ましく、ＣＤのデータ記録面が不織布の側を向くようにして収納することにより、ＣＤをより十分に保護することができる。区画は、収納袋本体の形成時、横方向の寸法が同じ不織布等を、収納袋本体の前面側、背面側を構成する紙等の間に介在させて接合する等の方法により設けることができる。このときの不織布等の縦方向の寸法は、ＣＤが容易に出てしまわない限り特に限定されないが、少なくともＣＤの半径以上であることが好ましい。
【００１８】
　ＣＤは、収納袋本体の一の面に、収納袋本体の一端側と同方向が開放された形態で付設されたＣＤ収納袋部に収納することもできる。この場合、ＣＤ収納袋部は、収納袋本体の蓋体が閉じられる前面側に付設されていてもよいし、背面側に付設されていてもよい。このＣＤ収納袋部を収納袋本体の前面側に付設すれば、意図せずにＣＤが収納袋部から出てしまい、落下して破損する等の問題を抑えることができる。更に、背面側に付設するときは、開放側はそのままでもよいし、折り曲げることで開放部を閉止することができる蓋部が形成されていてもよい。蓋部が形成されておれば、意図しないＣＤの落下等を抑えることができる。
【００１９】
　ＣＤ収納袋部を収納袋本体の前面側、背面側のいずれに付設する場合も、ＣＤ収納袋部の縦方向及び横方向の各々の寸法は、ＣＤが容易に出てしまわない限り特に限定されないが、縦方向の寸法は少なくともＣＤの半径以上であることが好ましい。一方、横方向の寸法は、ＣＤのＣＤ収納袋部内での揺動を抑えるため、ＣＤの直径を僅かに、例えば、１〜１０ｍｍ、特に２〜５ｍｍ程度越える寸法であることが好ましい。このＣＤ収納袋部を形成する材料は特に限定されないが、表面が柔らかく、ＣＤの特にデータ記録面を十分に保護することができる材料を用いることが好ましい。このＣＤ収納袋部は不織布により形成することが好ましく、ＣＤのデータ記録面が不織布の側を向くようにして収納することにより、ＣＤをより十分に保護することができる。
【００２０】
　本考案の写真収納用袋では、
（１）蓋体の、収納袋本体に貼付された伝票に記載された顧客名等の顧客情報に対応する位置に開口部を設けることができる、
（２）収納袋本体の、蓋体の開口部に対応する位置に宣伝のための文章等の宣伝情報を記載することができる、
（３）収納袋本体と蓋体との間に背表紙部を設け、この背表紙部に記載されたプリント依頼月日、仕上予定月日等の管理情報、及び着色による顧客類別等の管理情報を表記することができる、
（４）収納袋本体と蓋体との連接部に、着色により顧客類別等の顧客情報を表記することができる、
（５）収納袋本体の内部を不織布等により複数の収納部に区画し、一の収納部をＣＤ収納部とすることができる、
（６）収納袋本体の一の面、例えば、蓋体が閉じられる側、即ち、前面側に不織布等によりＣＤ収納袋部を付設することができる、のうちのいずれか１種を備える写真収納用袋とすることができる。また、（１）、（２）（３）及び（５）のうちの２種以上、又は（１）、（２）、（３）及び（６）のうちの２種以上、又は（１）、（２）、（４）及び（５）のうちの２種以上、又は（１）、（２）、（４）及び（６）のうちの２種以上を併せて備える写真収納用袋とすることができる。
【実施例】
【００２１】
　以下、実施例により本考案を具体的に説明する。
　実施例１
　蓋体収納袋本体と蓋体との間に背表紙部が設けられた写真収納用袋を作製した。
　図１は、収納袋本体１と蓋体２との間に背表紙部３が設けられた写真収納用袋１００の外観を示す斜視図である。
　横方向に長い収納袋本体１は紙製であり、その縦方向の寸法（図１におけるＬ１である。）は１２２ｍｍであり、横方向の寸法（図１におけるＬ２である。）は１６５ｍｍである。尚、縦方向において背面側の寸法は１２２ｍｍであり、前面側の寸法は１１５ｍｍであって、背面側が前面側の端部を越えて７ｍｍ長く形成されている。この収納袋本体１の一端側の開放部を除く他の３方の端部には幅７ｍｍの接合層１２が形成され、閉止されている。また、背面側に連接して幅７ｍｍの背表紙部３が形成され、この背表紙部３に連接して縦方向の寸法（図１におけるＬ３である。）が６２ｍｍであり、横方向の寸法が１６５ｍｍである蓋体２が設けられている。更に、収納袋本体１の前面側には、縦方向９２ｍｍ、横方向１６５ｍｍの大きさの伝票８が、その上端部が収納袋本体１の前面側の一端側の端部と揃うようにして貼付されている。
【００２２】
　実施例２
　蓋体の、収納袋本体に貼付された伝票に記載された顧客名に対応する位置に開口部が設けられ、収納袋本体と蓋体との間に設けられた背表紙部に管理情報が表記された写真収納用袋を作製した。
　図３は、図１の写真収納用袋における蓋体２に開口部２１が設けられた写真収納用袋１００の外観を示す斜視図である。
　この写真収納用袋１００では、蓋体２の伝票８に記載された顧客名８１に対応する位置に縦２０ｍｍ、横７５ｍｍの開口部２１が設けられており、この開口部２１により、蓋体２を開かなくても顧客名８１を確認することができる。この伝票８は、２枚綴りとなっており、顧客名及び顧客の電話番号の他、受付番号、店名、フィルム、チップ等のメディアの種類、受付月日及び時、仕上予定月日及び時分、料金などを記載する欄が設けられ、これらの欄に客が来店した際に必要事項を記入したうえ、１葉が客に手渡される。従って、店側は、店の控えとなる他の１葉によって顧客名を確認することになる。更に、図４のように、背表紙部３には、顧客名、顧客の電話番号、仕上予定月日及び時分等の管理情報３１が記載されており、多数の写真収納用袋が背表紙部を上にして容器に保管されている場合でも、管理情報を容易に確認することができる。
【００２３】
　実施例３
　収納袋本体の、蓋体の開口部に対応する位置に宣伝情報が記載された写真収納用袋を作製した。
　図５は、図４の写真収納用袋における収納袋本体１の、蓋体２の開口部２１に対応する位置に宣伝情報１４が記載された写真収納用袋１００の外観を示す斜視図である。
　この写真収納用袋１００では、収納袋本体１の、蓋体２の開口部２１に対応する位置に「またのご利用をお待ちしております」等の宣伝情報１４が記載されている。客が写真等の受け取りのため来店した際、店の控えとなっていた伝票も剥がされるため、この宣伝情報１４は、客が商品を受け取る際、及び受け取った後、何時でも客の視野に入るものであり、宣伝効果が高い。
【００２４】
　尚、本考案においては、上記の具体的な実施例に記載されたものに限られず、目的、用途等に応じて本考案の範囲内で種々変更した実施例とすることができる。例えば、収納袋本体の背面側を前面側の端部を越えてどの程度長くするかは特に限定されず、３〜１５ｍｍ、特に５〜１０ｍｍとすることができる。また、伝票は、収納袋本体からはみ出さない限り、必ずしもその上端部が収納袋本体の前面側の一端側の端部と揃うようにして貼付する必要はない。更に、蓋体に設けられた開口部は、伝票の顧客名を記載する欄の大きさに応じた寸法とすることができ、縦１０〜３０ｍｍ、特に１５〜２５ｍｍ、横５０〜１００ｍｍ、特に６５〜８５ｍｍとすることができる。また、この開口部は、伝票の顧客名が縦書きであれば、上記の縦横の寸法を逆にした寸法とすることができる。更に、背表紙部の幅は収納される写真の枚数及びＣＤが収納されるか否か等によって調整することが好ましく、この幅は２〜１５ｍｍ、特に３〜１０ｍｍとすることができる。
【００２５】
　また、実施例１〜３の各々の写真収納用袋はＣＤ収納部を備える写真収納用袋とすることもできる。例えば、実施例３の写真収納用袋について図６に示すように、収納袋本体１の内部を不織布等により厚さ方向に写真等を収納する収納部と、ＣＤ収納部とに区画し、写真５とＣＤ６とをそれぞれの収納部に別個に収納する写真収納用袋１００とすることができる。更に、実施例３の写真収納用袋について図８に示すように、収納袋本体１の前面側に不織布等からなるＣＤ収納袋部７を付設し、収納袋本体１には写真５等を収納し、ＣＤ収納袋部７にはＣＤ６を収納する写真収納用袋１００とすることもできる。
【００２６】
　本考案では、図９のように、背表紙部を有さない写真収納用袋１００とすることもできる。この写真収納用袋は、図１の写真収納用袋と同様に紙製であり、同程度の寸法であって、同様の伝票８が貼付されている。また、この背表紙部を有さない写真収納用袋では、図１０のように、収納袋本体１と蓋体２との連接部に、着色により顧客類別、仕上予定月等の管理情報４を表記することもできる。更に、この図９の背表紙部を有さない写真収納用袋の場合も、図１１のように、蓋体２の伝票８に記載された顧客名８１に対応する位置に、前記と同程度の寸法の開口部２１を設けることができ、この開口部２１により、蓋体２を開かなくても顧客名８１を確認することができる。また、図１２のように、収納袋本体１の、蓋体２の開口部２１に対応する位置に、客が商品を受け取る際、及び受け取った後、何時でも視野に入る前記と同様の宣伝情報１４を記載することもできる。更に、この背表紙部を有さない写真収納用袋の場合も、図１３のように、収納袋本体１の内部を区画してＣＤ収納部を形成することができ、また、収納袋本体１の一の面、特に図１４のように、収納袋本体１の前面側にＣＤ収納袋部７を付設することもできる。このようにすれば、写真５等とＣＤ６とを別個に収納することができ、それぞれに傷が付いたりすることを抑えることができる。
【図面の簡単な説明】
【００２７】
【図１】実施例の写真収納用袋の外観を示す斜視図である。
【図２】図１の写真収納用袋の収納袋本体の前面側と背面側とが接合された部分の端面を一部を拡大して示す模式図である。
【図３】図１の写真収納用袋の蓋体に開口部が設けられ、この開口部において顧客名を視認することができる写真収納用袋の外観を示す斜視図である。
【図４】図３の写真収納用袋の背表紙部に、顧客名、顧客の電話番号、仕上予定月日及び時分等の管理情報が記載された写真収納用袋の外観を示す斜視図である。
【図５】図３の写真収納用袋において、店用の控えの伝票が剥がされ、収納袋本体に記載された宣伝情報を視認することができるようになった写真収納用袋の外観を示す斜視図である。
【図６】図５の写真収納用袋において、収納袋本体の内部が不織布により２区画に区画され、一方に写真、他方にＣＤが収納されている状態を示す模式図である。
【図７】図６の写真収納用袋の収納袋本体の前面側と背面側とが接合された部分の端面を一部を拡大して示す模式図である。
【図８】図５の写真収納用袋において、収納袋本体の前面側に不織布からなるＣＤ収納部が付設され、収納袋本体に写真、ＣＤ収納部にＣＤが収納されている状態を示す模式図である。
【図９】蓋体の開口部及び背表紙部等を有さない簡易な構造の本考案の写真収納用袋の外観を示す斜視図である。
【図１０】図９の写真収納用袋の収納袋本体と蓋体との連接部に、着色により管理情報が表記されている写真収納用袋の外観を示す斜視図である。
【図１１】図９の写真収納用袋の蓋体に開口部が設けられ、この開口部において顧客名を視認することができる写真収納用袋の外観を示す斜視図である。
【図１２】図１１の写真収納用袋において、店用の控えの伝票が剥がされ、収納袋本体に記載された宣伝情報を視認することができるようになった写真収納用袋の外観を示す斜視図である。
【図１３】図１２の写真収納用袋において、収納袋本体の内部が不織布により２区画に区画され、一方に写真、他方にＣＤが収納されている状態を示す模式図である。
【図１４】図１２の写真収納用袋において、収納袋本体の前面側に不織布からなるＣＤ収納部が付設され、収納袋本体に写真、ＣＤ収納部にＣＤが収納されている状態を示す模式図である。
【符号の説明】
【００２８】
　１００；写真収納用袋、１；収納袋本体、１１；紙層、１２、接合層、１３；不織布層、１４；宣伝情報、２；蓋体、２１；開口部、３；背表紙部、３１；顧客名、顧客の電話番号、仕上予定月日及び時分等の管理情報、４；収納袋本体と蓋体との連接部に着色により表記された管理情報、５；写真、６；ＣＤ、７；ＣＤ収納袋部、８；伝票、８１；顧客名。
【図１】
0003100564.tif 000003
【図２】
0003100564.tif 000004
【図３】
0003100564.tif 000005
【図４】
0003100564.tif 000006
【図５】
0003100564.tif 000007
【図６】
0003100564.tif 000008
【図７】
0003100564.tif 000009
【図８】
0003100564.tif 000010
【図９】
0003100564.tif 000011
【図１０】
0003100564.tif 000012
【図１１】
0003100564.tif 000013
【図１２】
0003100564.tif 000014
【図１３】
0003100564.tif 000015
【図１４】
0003100564.tif 000016